(57)【要約】【課題】  簡素な装置構成によって、清掃部材が鋸歯状放電部材の長手方向の一方向に移動しているときのみ突起電極の側面に接触する帯電装置を提供する。【解決手段】  金属製の突起電極１を直線状に複数並べた鋸歯状放電部材２と、突起電極１の側面に接触して移動することにより突起電極１に付着した異物を除去可能な清掃部材３と、鋸歯状放電部材２の長手方向に沿って往復移動自在な移動体６を備え、清掃部材保持体４が移動体６に従動して移動するとともに、移動体６が鋸歯状放電部材２の長手方向の一方向ｈ１に移動しているとき清掃部材３が突起電極１の側面に接触し、且つ、移動体６が鋸歯状放電部材２の長手方向の他方向ｈ２に移動しているとき清掃部材３が突起電極１の側面から離間するように、清掃部材保持体４と移動体６とを機械的に連係させる連係手段２００を備えている。【選択図】        図４
2005140911.tif 000002
【特許請求の範囲】
【請求項１】
金属製の突起電極を直線状に複数並べた鋸歯状放電部材と、
前記突起電極の側面に接触して移動することにより前記突起電極に付着した異物を除去可能な清掃部材と、
前記清掃部材を前記鋸歯状放電部材の長手方向に沿って往復移動させる移動手段とを備えた帯電装置であって、
前記移動手段が前記鋸歯状放電部材の長手方向に沿って往復移動自在な移動体を備え、
前記清掃部材を保持する清掃部材保持体が前記移動体に従動して移動するとともに、前記移動体が前記鋸歯状放電部材の長手方向の一方向に移動しているとき前記清掃部材が前記突起電極の側面に接触し、且つ、前記移動体が前記鋸歯状放電部材の長手方向の他方向に移動しているとき前記清掃部材が前記突起電極の側面から離間するように、前記清掃部材保持体と前記移動体とを機械的に連係させる連係手段を備えている帯電装置。
【請求項２】
前記清掃部材保持体が、前記鋸歯状放電部材の長手方向における中央側箇所を装置本体側から制動力を受ける中間部材によって前記鋸歯状放電部材の長手方向に直交する軸芯回りに揺動自在に支持されるとともに、前記鋸歯状放電部材の長手方向の他方向における端部側の前記鋸歯状放電部材に対向する部位に前記清掃部材を保持し、
前記連係手段が、前記清掃部材保持体の前記鋸歯状放電部材の長手方向の一方向における端部側に前記鋸歯状放電部材の長手方向に交差する向きに形成した突片状の被係止部と、前記突片状の被係止部を前記鋸歯状放電部材の長手方向の前後において挟む状態で前記移動体に形成した２個の係止部とによって構成されている請求項１記載の帯電装置。
【請求項３】
前記中間部材に制動力を与える装置本体側の制動部材が、前記鋸歯状放電部材の長手方向に平行な状態で周囲に設置したシールド板で構成され、前記中間部材が、前記シールド板の板面に対して摺動移動して制動力を受ける弾性摩擦材を備えている請求項２記載の帯電装置。
【請求項４】
前記清掃部材保持体が前記鋸歯状放電部材を両側から挟む状態で一対設けられている請求項１〜３のいずれか１項に記載の帯電装置。
【発明の詳細な説明】
【技術分野】
【０００１】
本発明は、金属製の突起電極を直線状に複数並べた鋸歯状放電部材と、前記突起電極の側面に接触して移動することにより前記突起電極に付着した異物を除去可能な清掃部材と、前記清掃部材を前記鋸歯状放電部材の長手方向に沿って往復移動させる移動手段とを備えた帯電装置に関する。
【背景技術】
【０００２】
上記帯電装置は電子写真複写機等の画像形成装置において感光体等の帯電に使用されるが、使用に伴って放電生成物、埃、トナー等の異物が電極に付着・蓄積するので、部品交換時期に限らず適切な時期に鋸歯状放電部材の清掃ができるような清掃機構を設けている。具体的には、毛ブラシ等で構成される清掃部材を突起電極の側面に接触させながら、モータ等の動力を用いた自動操作またはオペレータ等による手動操作によって、鋸歯状放電部材の長手方向に沿って往復移動させて電極付着物を除去している（特許文献１参照）。
【０００３】
また、別の帯電装置では、ブラシ等で構成される清掃部材を鋸歯状放電部材の長手方向に沿って往復移動させながら、電磁石等の動力で駆動される揺動機構を用いて、鋸歯状放電部材の長手方向の一方向に移動しているときのみ清掃部材を突起電極の側面に接触させ、他方向に移動しているときは清掃部材を突起電極の側面から離間させるようにしていた（特許文献２参照）。
【０００４】
【特許文献１】特開平９−１９００５１号公報
【特許文献２】特開平８−１９０２５５号公報
【発明の開示】
【発明が解決しようとする課題】
【０００５】
特許文献１に記載の帯電装置では、毛ブラシ等の清掃部材が往復移動する際に、常に突起電極の側面に接触し、清掃部材が行きと帰りで逆方向に圧力を受けるため、ブラシ等の毛先がランダムになり、突起電極と絡みやすくなるという不都合があった。
特許文献２に記載の帯電装置では、上記特許文献１に記載の帯電装置の不都合は回避されるものの、清掃部材を突起電極の側面に対して接触、離間させるために電磁石等の駆動力で動作する揺動機構を用いているため、装置構成が複雑化する不都合があった。
【０００６】
本発明は、上記実情に鑑みてなされたものであり、その目的は、簡素な装置構成によって、清掃部材が鋸歯状放電部材の長手方向の一方向に移動しているときのみ突起電極の側面に接触する帯電装置を提供することである。
【課題を解決するための手段】
【０００７】
上記目的を達成するための本発明に係る帯電装置の第一の特徴構成は、前記移動手段が前記鋸歯状放電部材の長手方向に沿って往復移動自在な移動体を備え、前記清掃部材を保持する清掃部材保持体が前記移動体に従動して移動するとともに、前記移動体が前記鋸歯状放電部材の長手方向の一方向に移動しているとき前記清掃部材が前記突起電極の側面に接触し、且つ、前記移動体が前記鋸歯状放電部材の長手方向の他方向に移動しているとき前記清掃部材が前記突起電極の側面から離間するように、前記清掃部材保持体と前記移動体とを機械的に連係させる連係手段を備えている点にある。
【０００８】
すなわち、連係手段によって清掃部材を保持する清掃部材保持体と移動体が機械的に連係されて、鋸歯状放電部材の長手方向に沿って往復移動自在な移動体が鋸歯状放電部材の長手方向の一方向に移動するとき、清掃部材保持体が移動体に従動して上記鋸歯状放電部材の長手方向の一方向に移動するとともに、清掃部材が突起電極の側面に接触し、一方、上記移動体が鋸歯状放電部材の長手方向の他方向に移動するとき、清掃部材保持体が移動体に従動して上記鋸歯状放電部材の長手方向の他方向に移動するとともに、清掃部材が突起電極の側面から離間する。ここで、上記連係手段は電磁力等の動力を用いない機械的な連係手段であるため、簡素に構成することが可能となる。
従って、簡素な装置構成によって、清掃部材が鋸歯状放電部材の長手方向の一方向に移動しているときのみ突起電極の側面に接触する帯電装置が提供される。
【０００９】
同第二の特徴構成は、上記第一の特徴構成において、前記清掃部材保持体が、前記鋸歯状放電部材の長手方向における中央側箇所を装置本体側から制動力を受ける中間部材によって前記鋸歯状放電部材の長手方向に直交する軸芯回りに揺動自在に支持されるとともに、前記鋸歯状放電部材の長手方向の他方向における端部側の前記鋸歯状放電部材に対向する部位に前記清掃部材を保持し、前記連係手段が、前記清掃部材保持体の前記鋸歯状放電部材の長手方向の一方向における端部側に前記鋸歯状放電部材の長手方向に交差する向きに形成した突片状の被係止部と、前記突片状の被係止部を前記鋸歯状放電部材の長手方向の前後において挟む状態で前記移動体に形成した２個の係止部とによって構成されている点にある。
【００１０】
すなわち、図４を参照して説明すると、移動体６が鋸歯状放電部材２の長手方向の一方向ｈ１に移動するとき、図４（ロ）に示すように、移動体６に鋸歯状放電部材の長手方向の前後に形成した２個の係止部６ａ，６ｂのうち上記移動体６の移動方向とは反対側に位置する係止部６ｂが、鋸歯状放電部材２の長手方向に交差する向きで清掃部材保持体４の鋸歯状放電部材２の長手方向の一方向ｈ１における端部側に形成した突片状の被係止部４ａに当接して、清掃部材保持体４を長手方向の一方向ｈ１に押すので、清掃部材保持体４が移動体６の移動方向ｈ１に移動するとともに、装置本体側から制動力を受けている中間部材５によって中央側箇所（止めピン９で示す）で鋸歯状放電部材の長手方向に直交する軸芯回りに揺動自在に支持されている清掃部材保持体４が揺動し、清掃部材保持体４の鋸歯状放電部材２の長手方向の他方向ｈ２における端部側の鋸歯状放電部材２に対向する部位に保持した清掃部材３が突起電極１の側面に接触する。
【００１１】
一方、移動体６が鋸歯状放電部材２の長手方向の他方向ｈ２に移動するときは、図４（ハ）に示すように、移動体６に形成した前記２個の係止部６ａ，６ｂのうち上記移動体６の移動方向とは反対側に位置する係止部６ａが、清掃部材保持体４に形成した前記突片状の被係止部４ａに当接して、清掃部材保持体４を長手方向の他方向ｈ２に押すので、清掃部材保持体４が移動体６の移動方向ｈ２に移動するとともに、前記中間部材５によって中央側箇所で揺動自在に支持されている清掃部材保持体４が揺動し、清掃部材保持体４の鋸歯状放電部材２の長手方向の他方向ｈ２における端部側の鋸歯状放電部材２に対向する部位に保持した清掃部材３が突起電極１の側面から離間する。
【００１２】
従って、清掃部材保持体を揺動自在に支持しながら、清掃部材保持体側の被係止部と移動体側の２個の係止部によって連係手段を簡素に構成することができ、帯電装置の好適な実施形態が提供される。
【００１３】
同第三の特徴構成は、上記第二の特徴構成において、前記中間部材に制動力を与える装置本体側の制動部材が、前記鋸歯状放電部材の長手方向に平行な状態で周囲に設置したシールド板で構成され、前記中間部材が、前記シールド板の板面に対して摺動移動して制動力を受ける弾性摩擦材を備えている点にある。
【００１４】
すなわち、前記中間部材に備えた弾性摩擦材が鋸歯状放電部材の長手方向に平行な状態で周囲に設置したシールド板の板面に対して摺動移動することにより、中間部材が装置本体側から制動力を受ける。
従って、帯電装置が通常備えているシールド板を有効利用して、中間部材に制動力を与える制動部材を簡素に構成することができる帯電装置の好適な実施形態が提供される。
【００１５】
同第四の特徴構成は、上記第一から第三のいずれかの特徴構成において、前記清掃部材保持体が前記鋸歯状放電部材を両側から挟む状態で一対設けられている点にある。
【００１６】
すなわち、鋸歯状放電部材を両側から挟む一対の清掃部材が突起電極の両側面に接触するので、電極上の異物がより確実に除去される。
従って、鋸歯状放電部材に対する電極清掃効果を一層増進させることが可能となる帯電装置の好適な実施形態が提供される。
【発明を実施するための最良の形態】
【００１７】
本発明に係る帯電装置の実施形態について説明する。
図１〜図４に示すように、本発明に係る帯電装置は、金属製の突起電極１を直線状に複数並べた鋸歯状放電部材２と、突起電極１の側面に接触して移動することにより突起電極１に付着した異物を除去可能な清掃部材３と、清掃部材３を鋸歯状放電部材２の長手方向に沿って往復移動させる移動手段１００とを備えている。具体的には、各突起電極１は二等辺三角形に形成され、上記鋸歯状放電部材２は、長手方向の両端部において図示しないバネ等によって引っ張られて装置本体に保持されている。
【００１８】
上記清掃部材３を保持する清掃部材保持体４が鋸歯状放電部材２を両側から挟む状態で一対設けられている。また、前記移動手段１００が鋸歯状放電部材２の長手方向に沿って往復移動自在な移動体６を備えている。なお、移動体６は、手動操作によって鋸歯状放電部材２の長手方向に沿って移動する長手状の清掃治具８の先端側箇所に連結されている。
【００１９】
そして、上記清掃部材保持体４が移動体６に従動して移動するとともに、移動体６が鋸歯状放電部材２の長手方向の一方向ｈ１に移動しているとき清掃部材３が突起電極１の側面に接触し、且つ、移動体６が鋸歯状放電部材２の長手方向の他方向ｈ２に移動しているとき清掃部材３が突起電極１の側面から離間するように、前記清掃部材保持体４と前記移動体６とを機械的に連係させる連係手段２００を備えている。
【００２０】
具体的には、前記清掃部材保持体４が、鋸歯状放電部材２の長手方向における中央側箇所を装置本体側から制動力を受ける中間部材５によって鋸歯状放電部材２の長手方向に直交する軸芯回りに揺動自在に止めピン９によって支持されるとともに、鋸歯状放電部材２の長手方向の他方向ｈ２における端部側の鋸歯状放電部材２に対向する部位に清掃部材３を保持し、前記連係手段２００が、清掃部材保持体４の鋸歯状放電部材２の長手方向の一方向ｈ１における端部側に鋸歯状放電部材２の長手方向に交差する向きに形成した突片状の被係止部４ａと、突片状の被係止部４ａを鋸歯状放電部材２の長手方向の前後において挟む状態で移動体６に形成した２個の係止部６ａ，６ｂとによって構成されている。尚、各係止部６ａ，６ｂは、アーム状に形成されるとともに、先端箇所に被係止部４ａに対する当たり片を備えている。
【００２１】
そして、前記中間部材５に制動力を与える装置本体側の制動部材が、鋸歯状放電部材２の長手方向に平行な状態で周囲に設置したシールド板７で構成され、前記中間部材５が、前記シールド板７の板面７ａ（垂直向きの板面）に対して摺動移動して制動力を受ける弾性摩擦材５ａを備えている。弾性摩擦材５ａは弾性を有する樹脂材料（樹脂製ゴム等）で構成している。なお、中間部材５の両端部が前記シールド板７の上向きの板面７ｂに載置され、これによって、清掃部材保持体４、移動体６等の全体がシールド板７に支持されている。
【００２２】
〔別実施形態〕
次に、本発明に係る帯電装置の別実施形態について説明する。
上記実施形態では、清掃部材３を往復移動させる移動手段１００を、移動体６に連結されて手動操作される清掃治具８で構成したが、手動操作ではなく、モータ等の動力を用いて移動体６を移動させる構成でもよい。
【００２３】
上記実施形態では、清掃部材保持体４を鋸歯状放電部材２の長手方向に直交する軸芯回りに揺動させることで清掃部材３が突起電極１の側面に対して接触、離間するように構成したが、揺動以外に、例えば、清掃部材保持体を鋸歯状放電部材２の長手方向に移動させると同時に、鋸歯状放電部材２の長手方向に交差する方向にスライド移動させて、清掃部材３を突起電極１の側面に接触及び離間させるような構成が可能である。
【図面の簡単な説明】
【００２４】
【図１】本発明に係る帯電装置の全体構成を示す側面図
【図２】本発明に係る帯電装置の全体構成を示す平面図
【図３】本発明に係る帯電装置の分解斜視図
【図４】本発明に係る帯電装置の動作を説明する平面図
【符号の説明】
【００２５】
１              突起電極
２              鋸歯状放電部材
３              清掃部材
４              清掃部材保持体
４ａ            被係止部
５              中間部材
５ａ            弾性摩擦材
６              移動体
６ａ，６ｂ      係止部
７              シールド板
７ａ            板面
１００          移動手段
２００          連係手段
【図１】
2005140911.tif 000003
【図２】
2005140911.tif 000004
【図３】
2005140911.tif 000005
【図４】
2005140911.tif 000006